(57)【要約】【課題】リレーの小型化により、リレーをリレー装着部から取り外す場合にフックの操作部を人指で押す動作が困難になり、実用に向かない。【解決手段】リレー３０をリレー装着部５から取り外す場合には、ドライバーのような工具（汎用工具）４０の先端部４０Ａを工具挿入ガイド部２１に沿わせて、操作レバー部材１５の操作部１８の工具引掛け部１７に挿入し、この工具４０を押込むことで、操作レバー部材１５を、その枢軸１９を支点にして回動して押圧部２０を持ち上げ、梃子の原理で、押圧部２０でリレー３０の底面部３０Ａを押し上げて、リレー３０を持ち上げて行うようにした。【選択図】  図１０
2004281167.tif 000002
【特許請求の範囲】
【請求項１】
ソケット本体の制御機器装着部に装着された制御機器を、操作レバー部材を作動させて前記制御機器装着部より取り外す制御機器接続用ソケットにおける制御機器取外し構造であって、
前記操作レバー部材は、その先端に操作点を、中間部に枢支点を、後端に押圧作用点をそれそれ有しており、
前記制御機器装着部の底面部には、前記操作レバー部材を収容する操作レバー収容部が設けてあり、
前記操作レバー部材は、前記操作レバー収容部に収容された状態で、前記操作点を除いて前記制御機器の底部分に対向しており、
前記操作レバー部材が、前記操作点で工具により押し操作されることにより前記枢支点を支点にして回動して、前記押圧作用点で前記制御機器の前記底部分を取外し方向に押圧するようにしたことを特徴とする制御機器接続用ソケットにおける制御機器取外し構造。
【請求項２】
前記操作レバー部材は、その先端に前記操作点を有する操作部を、中間部に前記枢支点となる枢軸を、後端に前記押圧作用点を有する押圧部をそれそれ有しており、
前記操作レバー収容部は、前記ソケット本体の周部に開口する開口部を有し且つ前記操作部の挿入時に前記操作部を前記開口部に臨ませる操作部挿入部と、前記枢軸が挿入されてこの枢軸を回動可能に支承する枢軸挿入部と、前記押圧部を挿入する押圧部挿入部とを有しており、
前記操作部を前記操作部挿入部に挿入すると共に、前記枢軸を前記枢軸挿入部に挿入し、且つ前記押圧部を前記押圧部挿入部に挿入することで、前記操作レバー部材が前記操作レバー収容部に収容されていることを特徴とする請求項１に記載の制御機器接続用ソケットにおける制御機器取外し構造。
【請求項３】
前記操作部には工具引掛け部が形成してあり、前記開口部の周部に、前記工具引掛け部に前記工具を案内する工具挿入ガイド部を形成するようにしたことを特徴とする請求項２に記載の制御機器接続用ソケットにおける制御機器取外し構造。
【請求項４】
前記工具が汎用工具である請求項１乃至請求項３のいずれかの一に記載の制御機器接続用ソケットにおける制御機器取外し構造。
【請求項５】
前記操作レバー部材における、前記枢支点から前記操作点までの距離Ｌ１と、前記枢支点から前記押圧作用点までの距離Ｌ２とを略等しくし、前記押圧作用点が前記制御機器のセンターよりずれた位置にあることを特徴とする請求項１乃至請求項４のいずれかの一に記載の制御機器接続用ソケットにおける制御機器取外し構造。
【請求項６】
前記枢軸挿入部は、前記操作レバー収容部の両壁部に形成された縦溝からなる案内部とこの案内部に連なる枢軸支承部とで構成されていて、この枢軸支承部は、前記案内部に落とし込まれた前記枢軸を受ける枢軸受け部と、前記枢軸受け部に対して対角に位置していて前記枢軸の回転を許容する回転用スペース部とにより構成してあることを特徴とする請求項２に記載の制御機器接続用ソケットにおける制御機器取外し構造。
【請求項７】
前記枢軸は、その断面形状が長方形状であって、この枢軸の長手方向に沿う軸線ａが前記操作レバー部材の軸線ｂに対して所定の角度αに傾けてあることを特徴とする請求項６に記載の制御機器接続用ソケットにおける制御機器取外し構造。
【請求項８】
前記制御機器がリレーであり、前記制御機器接続用ソケットが、内部に前記リレーを実装する回路基板を有するリレー接続用ソケットであることを特徴とする請求項１乃至請求項７のいずれかの一に記載の制御機器接続用ソケットにおける制御機器取外し構造。
【発明の詳細な説明】
【０００１】
【発明の属する技術分野】
本発明は、リレーのような制御機器の接続用ソケットにおける制御機器取外し構造に関するものである。
【０００２】
【従来の技術】
基板実装タイプの有接点リレーは開閉寿命がきた場合の交換が容易に行えるように、リレーの脱着が可能な基板接続用ソケットを介して回路基板に実装する場合がある。
【０００３】
従来のこの種のリレー接続用ソケットにおけるリレー取外し構造として、図１２の（１）、（２）に示された技術がある（特許文献１参照）。これによれば、ソケット１００に、一対の支持壁部１０１、１０２を有するリレー装着部１０３が形成してあり、このリレー装着部１０３の底面部にはソケット側接続端子（図示せず）設けてある。
【０００４】
【特許文献１】
実開昭６４−４０４４号公報
【０００５】
また、支持壁部１０１、１０２にはそれぞれ支承部１０１Ａ、１０２Ａが設けてあり、一方の支持壁部１０１には、一方のフック部材１０４が、その中間部に有する枢軸１０５を支承部１０１Ａに枢支した状態で取付けてあり、また、他方の支持壁部１０２には、他方のフック部材１０６が、その中間部に有する枢軸１０７を支承部１０２Ａに枢支した状態で取付けてある。そして、一方及び他方のフック部材１０４、１０６は、その基部に押圧部１０８を、先端部に操作部１０９を有している。
【０００６】
そして、リレー１１０をリレー装着部１０３に挿入することにより、リレー１１０の接続端子１１１をソケット側接続端子に挿入して接続し、これにより、リレー１１０がソケット１００にセットされるが、この場合、図１２の（２）に示すように、リレー１１０の下側部の両端部が一方及び他方のフック部材１０４、１０６の押圧部１０８に衝接し、一方及び他方のフック部材１０４、１０６は枢軸１０５、１０７を支点にしてリレー１１０側に回動して、操作部１０９がリレー１１０の上側部の両端部に引っ掛かるようになっており、これによりリレー１１０は一方及び他方のフック部材１０４、１０６に抱き抱えられた状態になる。
【０００７】
そして、リレー１１０を交換するために、リレー１１０を取り外す場合には、操作部１０９を指で外方に押すことで、操作部１０９をリレー１１０の上側部の両端部から外す。又、一方及び他方のフック部材１０４、１０６を外方に開くことで、その枢軸１０５、１０７を支点にして回動させる。この結果、梃子の原理で、押圧部１０８でリレー１１０を押し上げて、リレー１１０の接続端子１１１をソケット側接続端子より抜き、リレー１１０をソケット１００から外す。
【０００８】
また、従来のこの種のリレー接続用ソケットにおけるリレー取外し構造として図１３の（１）、（２）に示すものがある（文献なし）。この場合、ソケット本体１００に設けた一対の支持壁部１０１、１０２間をリレー装着部１０３にしてあり、このリレー装着部１０３の底面部にはソケット側接続端子（図示せず）設けてある。
【０００９】
そして、片方の支持壁部１０２には支承部１０２Ａが設けてある。またこの支持壁部１０２には、フック部材１２０が、その中間部に有する枢軸１２１を支承部１０２Ａに枢支した状態で取付けてある。このフック部材１２０は、側面Ｌ字形状であって、その一端部に操作部１２２を、その他端部に押圧部１２３をそれぞれ有している。
【００１０】
そして、リレー１１０をリレー装着部１０３に挿入することにより、リレー１１０の接続端子１１１をソケット側接続端子に挿入して接続する。これにより、リレー１１０がソケット１１０にセットされるが、この場合、図１３の（１）に示すように、フック部材１２０は枢軸１２１を支点にしてリレー１１０側に回動して操作部１２２がリレー１１０の上側部の端部に引っ掛かるようになる。
【００１１】
そして、リレー１１０を交換するために、リレー１１０を取り外す場合には、操作部１２２を指で外方に押すことで、操作部１２２をリレー１１０の上側部の端部から外す。また、フック部材１２０を外方に開くことで、その枢軸１２１を支点にして回動させて、梃子の原理で、フック部材１２０の押圧部１２３でリレー１１０を押し上げ、リレー１１０の接続端子１１１をソケット側接続端子より抜き出してリレー１１０をリレー装着部１０３から外す。
【００１２】
また、従来のこの種のリレー接続用ソケットにおけるリレー取外し構造として図１４の（１）、（２）に示すものがある（文献なし）。このリレー取外し構造は、リレー装着部１０３に装着されたリレー１１０を専用の取外し工具１２４を用いて取り外すようにしたものである。
【００１３】
すなわち、取外し工具１２４は、摘み部１２５に一対の把持片部１２６を形成して構成してあり、これらの把持片部１２６は、その先部にフック部１２７を有している。
【００１４】
そして、リレー１１０を交換するために、リレー１１０を取り外す場合には、取外し工具１２４の摘み部１２５を指で摘み、一対の把持片部１２６をリレー１１０の両側部に押し当てて、一対の把持片部１２６のフック部１２７をリレー１１０の下部の両端部に引掛け、取外し工具１２４を持ち上げることにより、リレー１１０を持ち上げ、リレー１１０の接続端子１１１をソケット側接続端子より抜き出してリレー１１０をリレー装着部１０３から外す。
【００１５】
【発明が解決しようとする課題】
しかしながら、上記した図１２の（１）、（２）及び図１３の（１）、（２）に示す従来のリレー接続用ソケットにおけるリレー取外し構造にあっては、リレー１１０をリレー装着部１０３から取り外す場合には、操作部１０９（操作部１２２）を人指で外方に押す動作が必要になっているために、リレー１１０が小型化し、このリレー１１０が高密度で多数リレー接続用ソケットに装着された場合、操作部１０９（操作部１２２）も小型化されるが、この小型化のために、この操作部１０９（操作部１２２）を人指で外方に押す動作が困難になり、リレーの取外しが困難になるという問題点があった。
【００１６】
また、上記した図１４の（１）、（２）に示す従来のリレー接続用ソケットにおけるリレー取外し構造にあっては、リレー装着部１０３に装着されたリレー１１０を専用の取外し工具１２４を用いて取り外すようにしており、この専用の取外し工具１２４は別パーツであって紛失しやすい。また、リレー取外し構造そのものが専用の取外し工具１２４を用いてリレー１１０を取り外すための構造になっているために、専用の取外し工具１２４を紛失した場合、別の工具を用いてもリレー１１０の取外しが不可能になるという問題点があった。
【００１７】
本発明は、上記の問題点に着目して成されたものであって、その目的とするところは、汎用の工具を用いて制御機器（リレー）の取外しが可能になり、小型化が要求される機器に搭載される小型の制御機器（リレー）の交換が容易に行えるようになる制御機器接続用ソケットにおける制御機器取外し構造を提供することにある。
【００１８】
【課題を解決するための手段】
上記の目的を達成するために、本発明に係る制御機器接続用ソケットにおける制御機器取外し構造は、ソケット本体の制御機器装着部に装着された制御機器を、操作レバー部材を作動させて制御機器装着部より取り外す制御機器接続用ソケットにおける制御機器取外し構造であって、操作レバー部材は、その先端に操作点を、中間部に枢支点を、後端に押圧作用点をそれそれ有しており、制御機器装着部の底面部には、前記操作レバー部材を収容する操作レバー収容部が設けてあり、操作レバー部材は、操作レバー収容部に収容された状態で、操作点を除いて制御機器の底部分に対向しており、操作レバー部材が、操作点で工具により押し操作されることにより枢支点を支点にして回動して、押圧作用点で制御機器の底部分を取外し方向に押圧するようにしたものである。
【００１９】
そして、制御機器はリレーであることが好ましく、制御機器接続用ソケットは、内部にリレーを実装する回路基板を有するリレー接続用ソケットであることが好ましい。また、工具は、ドライバーのような汎用工具であることが好ましい。
【００２０】
かかる構成により、制御機器を制御機器装着部に装着した状態から、この制御機器を取り外す場合には、工具の先端部を操作点に押し当てこの工具を押込むと、操作レバー部材が、その枢支点を中心にして回動して押圧作用点を持ち上げ、梃子の原理で、押圧作用点で制御機器を、その取外し方向に押圧する。したがって、制御機器が持ち上がり制御機器装着部から外される。
【００２１】
このように、工具を用いて制御機器の取外しが可能になり、小型化が要求される機器に搭載される小型の制御機器の交換が容易に行えるようになる。
【００２２】
また、本発明に係る制御機器接続用ソケットにおける制御機器取外し構造は、上記した本発明に係る制御機器接続用ソケットにおける制御機器取外し構造において、操作レバー部材は、その先端に操作点を有する操作部を、中間部に枢支点となる枢軸を、後端に押圧作用点を有する押圧部をそれぞれ有しており、操作レバー収容部が、ソケット本体の周部に開口する開口部を有し且つ操作部の挿入時に操作部を開口部に臨ませる操作部挿入部と、枢軸が挿入されてこの枢軸を回動可能に支承する枢軸挿入部と、押圧部を挿入する押圧部挿入部とを有しており、操作部を操作部挿入部に挿入すると共に、枢軸を枢軸挿入部に挿入し、且つ押圧部を押圧部挿入部に挿入することで、操作レバー部材が操作レバー収容部に収容されているものである。
【００２３】
かかる構成により、制御機器を制御機器装着部に装着した状態から、この制御機器を取り外す場合には、操作部挿入部の開口部内の操作部に工具の先端部を押し当てて、この工具を押込むと、操作レバー部材が、その枢軸を中心にして回動して押圧部を持ち上げ、梃子の原理で、押圧部で制御機器を、その取外し方向に押圧する。したがって、制御機器が持ち上がり制御機器装着部から外される。
【００２４】
このように、工具を用いて制御機器の取外しが可能になり、小型化が要求される機器に搭載される小型の制御機器の交換が容易に行えるようになる。
【００２５】
また、本発明に係る制御機器接続用ソケットにおける制御機器取外し構造は、上記した本発明に係る制御機器接続用ソケットにおける制御機器取外し構造において、操作部には工具引掛け部が形成してあり、開口部の周部に、工具引掛け部に工具を案内する工具挿入ガイド部を形成するようにしたものである。
【００２６】
かかる構成により、制御機器を制御機器装着部に装着した状態から、この制御機器を取り外す場合には、工具の先端部を工具引掛け部に差し込む際に、工具挿入ガイド部に沿って工具の先端部を移動させればよく、工具の先端部を確実に工具引掛け部に差し込むことができて、操作レバー部材の操作を容易に行うことができる。
【００２７】
また、本発明に係る制御機器接続用ソケットにおける制御機器取外し構造は、上記した本発明に係る制御機器接続用ソケットにおける制御機器取外し構造において、工具が汎用工具であるものである。
【００２８】
かかる構成により、工具がドライバーのような汎用工具であるために、専用の脱着工具が必要ではなくなり、いかなる場所に置いても制御機器の取外し操作を行うことができる。
【００２９】
また、本発明に係る制御機器接続用ソケットにおける制御機器取外し構造は、上記した本発明に係る制御機器接続用ソケットにおける制御機器取外し構造において、操作レバー部材における、枢支点から操作点までの距離Ｌ１と、枢支点から押圧作用点までの距離Ｌ２とを略等しくし、押圧作用点が制御機器のセンターよりずれた位置にあるものである。
【００３０】
かかる構成により、操作レバー部材に及ぼす工具による押力にほぼ等しい押圧力を作用力として制御機器に作用させ、この作用力によるモーメントを制御機器に発生させて、この制御機器の取外しを容易に行うことができる。
【００３１】
また、本発明に係る制御機器接続用ソケットにおける制御機器取外し構造は、上記した本発明に係る制御機器接続用ソケットにおける制御機器取外し構造において、枢軸挿入部は、操作レバー収容部の両壁部に形成された縦溝からなる案内部とこの案内部に連なる枢軸支承部とで構成されていて、この枢軸支承部は、案内部に落とし込まれた枢軸を受ける枢軸受け部と、枢軸受け部に対して対角に位置していて枢軸の回転を許容する円弧状の回転用スペース部とにより構成してある。
【００３２】
かかる構成により、操作レバー部材の操作部を操作部挿入部に挿入すると共に、枢軸を枢軸挿入部の案内部に挿入し、操作レバー部材をレバー収容部に挿入して、枢軸を枢軸挿入部の枢軸受け部に落とし込み、枢軸を枢軸支承部に入れ込む。そして、操作レバー部材を枢軸を支点にして回転させることで、枢軸を回転用スペース部内に入れ込み、操作レバー部材をレバー収容部に収容する。この場合、操作レバー部材の操作部は操作部挿入部に、押圧部は押圧部挿入部にそれぞれ挿入されて操作レバー部材は水平状態で完全にレバー収容部に収容される。
【００３３】
このように操作レバー部材の制御機器接続用ソケットへの組立を容易に行うことができる。
【００３４】
また、本発明に係る制御機器接続用ソケットにおける制御機器取外し構造は、上記した本発明に係る制御機器接続用ソケットにおける制御機器取外し構造において、枢軸は、その断面形状が長方形状であって、この枢軸の長手方向に沿う軸線ａは操作レバー部材の軸線ｂに対して所定の角度αに傾けてあるものである。
【００３５】
かかる構成により、操作レバー部材が、その枢軸を支点にして回動して押圧部を最大に持ち上げた際に、枢軸は枢軸支承部内で傾いていて、枢軸の端部が回転用スペース部の壁部に対向するようになるために、枢軸は枢軸挿入部から抜け出すことはなく、操作レバー部材が操作レバー収容部から抜け出すことがない。
【００３６】
また、操作レバー部材が完全に操作レバー収容部に収容された状態でも、枢軸は枢軸支承部内で傾いていて、枢軸の端部が回転許容部の壁部に対向するようになるために、枢軸は枢軸挿入部から抜け出すことはなく、操作レバー部材が操作レバー収容部から抜け出すことがない。
【００３７】
また、本発明に係る制御機器接続用ソケットにおける制御機器取外し構造は、上記した本発明に係る制御機器接続用ソケットにおける制御機器取外し構造において、制御機器がリレーであり、制御機器接続用ソケットが、内部にリレーを実装する回路基板を有するリレー接続用ソケットである。
【００３８】
かかる構成により、リレーをリレー装着部に装着した状態から、このリレーを取り外す場合には、ドライバーのような工具の先端部を操作部に押し当てこの工具を押込むと、操作レバー部材が、その枢軸を支点にして回動して押圧部を持ち上げ、梃子の原理で、押圧部がリレーを、その取外し方向に押圧する。したがって、リレーが持ち上がりリレー装着部から外される。
【００３９】
このように、汎用の工具を用いてリレーの取外しが可能になり、小型化が要求される機器に搭載される小型のリレーの交換が容易に行えるようになる。
【００４０】
【発明の実施の形態】
以下、本発明の実施の形態を図面に基づいて説明する。
【００４１】
図１及び図２に制御ユニット１を示す。この制御ユニット１は、内部に回路基板（図示せず）を収容したユニット本体２の上面部に端子台３が形成してあり、また、ユニット本体２の上面部にはソケット装着部４が形成してある。このソケット装着部４の底面部４Ａには、図７及び図８に示すように一列４個の端子挿入孔部６がソケット装着部４の長手方向に多数列形成してある。そして、ソケット装着部４には、制御機器接続用ソケットとしてのリレー接続用ソケット５が装着してある。
【００４２】
リレー接続用ソケット５は、図３及び図４に示すようにソケット本体５Ａを有しており、このソケット本体５Ａには、ソケット本体５Ａの短手方向イに相対峙する支持壁部７、８が立設してあり、これらの支持壁部７、８のそれぞれの内面部には、凸条部９により仕切られた制御機器装着部としてのリレー装着部１０が、ソケット本体５Ａの長手方向ロに沿うて多数並べて形成してある。
【００４３】
これらのリレー装着部１０の底面部１１には、４個の端子装着孔部１２がソケット本体５Ａの短手方向イに形成してあり、これらの端子装着孔部１２に雌形の接続端子１３が装着してある。
【００４４】
ソケット本体５Ａにはリレー取外し機構部１４が設けてある。このリレー取外し機構部１４は、操作レバー部材１５と、この操作レバー部材１５を収容する操作レバー収容部１６とで構成してある。
【００４５】
操作レバー部材１５は短冊状のレバー本体１５Ａを有しており、このレバー本体１５Ａの先端にはＶ形状の工具引掛け部１７を有する操作部１８が形成してある。また、レバー本体１５Ａの中間部の両側面部には枢軸１９が突出形成してあり、また、レバー本体１５Ａの後端には、リレー３０の底面部３０Ａを押圧する押圧部２０が形成してある。そして、工具引掛け部１７が操作点Ｐ１を成しており、枢軸１９が枢支点Ｐ２を成しており、操作部１８が押圧作用点Ｐ３をなしている。
【００４６】
そして、操作レバー部材１５における、枢支点Ｐ２から操作点Ｐ１までの距離Ｌ１と、枢支点Ｐ２から押圧作用点Ｐ３までの距離Ｌ２とは略等しくしてある。しかも、図７に示すように、押圧作用点Ｐ３はリレー３０のセンターＳよりずれた位置にあるものである。
【００４７】
また、図５の（１）に示すように、枢軸１９は、その断面形状が長方形状であって、この枢軸１９の長手方向に沿う軸線ａはレバー本体１５Ａの軸線ｂに対して角度α（α＝約４５度）に傾けてある。
【００４８】
また、操作レバー収容部１６はリレー装着部１０の底面部１１に形成してある。この操作レバー収容部１６は、図５の（１）に示すように、その支持壁部７側に、操作レバー部材１５の操作部１８が挿入される操作部挿入部２２を有し、その中間部に、操作レバー部材１５の枢軸部１９が挿入される枢軸挿入部２３を有しており、実にその後部（支持壁部８側）に操作レバー部材１５の押圧部２０が挿入される押圧部挿入部２４を有している。
【００４９】
そして、操作部挿入部２２は、ソケット本体５Ａの前面部（周部）５ａに開口していて、この開口部２５が支持壁部７の基部に及んでおり、この支持壁部７の基部（開口部２５の周部）に、開口部２５に向かって斜め下方に溝状の工具挿入ガイド部２１が形成してある。
【００５０】
また、枢軸挿入部２３は、図５の（１）に示すように操作レバー収容部１６の両壁部に形成された縦溝からなる案内部２６と、この案内部２６に連なる枢軸支承部２７とで構成してあり、この枢軸支承部２７は、案内部２６に落とし込まれた操作レバー部材１５の枢軸１９を受ける枢軸受け部２８と、枢軸１９の回転を許容する回転用スペース部２９とにより構成してある。この回転用スペース部２９は、枢軸受け部２８に対して対角に位置している。
【００５１】
また、押圧部挿入部２４は操作レバー収容部１６の中間部より幅の広い凹部で構成してある。
【００５２】
そして、操作レバー部材１５を、図５の（１）に示すようにソケット本体５Ａに対して枢軸１９の軸線ａが垂直になるように傾けて、矢印ｄ、ｅに示す方向に移動させ、図５の（２）に示すように操作レバー部材１５の操作部１８を操作部挿入部２２に挿入すると共に、枢軸１９を枢軸挿入部２３の案内部２６に挿入する。更に、枢軸１９を枢軸挿入部２３の枢軸受け部２８に落とし込む。この状態では、枢軸１９は枢軸支承部２８に入り込んでいる。
【００５３】
次に、図５の（３）、（４）、（５）に示すように操作レバー部材１５を枢軸１９を支点にして時計回り方向（矢印ｆに示す方向）に回転させることで、枢軸１９を回転用スペース部２９内に入れ込み、操作レバー部材１５を、図５の（６）に示すように操作レバー収容部１６に収容する。この場合、操作レバー部材１５の操作部１８は操作部挿入部２２に、挿入され、操作レバー部材１５の押圧部２０は押圧部挿入部２４に挿入されており、操作レバー部材１５は水平状態で完全に操作レバー収容部１６に収容される。
【００５４】
そして、操作部１８は操作部挿入部２２の開口部２５内に位置しており、この操作部１８のＶ形状の工具引掛け部１７が工具挿入溝部２１に対向している。
【００５５】
上記のように構成されたリレー接続用ソケット５は、上記のように制御ユニット１のケース本体２のソケット装着部４に装着してあり、この場合、リレー接続用ソケット５に設けた接続端子１３が、ソケット装着部４に設けた４個の端子挿入孔部６を貫通して回路基板に接続される。
【００５６】
このように、リレー接続用ソケット５がソケット装着部４に装着された状態では、図５の（５）に示すように、操作レバー部材１５が、その枢軸１９を支点にして反時計回り方向に回動して押圧部２０を最大に持ち上げた際に、枢軸１９は枢軸支承部２７内で傾いて、枢軸１９の端部１９ａが回転用スペース部２９の壁部２９ａに対向していることになる。このために、枢軸１９は枢軸挿入部２３から抜け出すことはなく、操作レバー部材１５が操作レバー収容部１６から抜け出すことがない。
【００５７】
また、図５の（６）に示すように、操作レバー部材１５が完全に操作レバー収容部１６に収容された状態でも、枢軸１９は枢軸支承部２７内で傾いていて、枢軸１９の端部１９ａが回転用スペース部２９の壁部２９ａに対向しているために、枢軸１９は枢軸挿入部２３から抜け出すことはなく、操作レバー部材１５が操作レバー収容部２１から抜け出すことがない。
【００５８】
次に、リレー３０のリレー接続用ソケット５への取付け（装着）と取外しについて図６乃至図１１を参照して説明する。
【００５９】
リレー３０を、リレー接続用ソケット５のリレー装着部１０に挿入することにより、リレー３０の接続端子３１を接続端子１３に挿入して接続することで、リレー３０がリレー接続用ソケット５にセットされる（図８参照）。
【００６０】
リレー３０を交換するために、リレー３０を取り外す場合には、図６及び図７に示すようにドライバーのような工具（汎用工具）４０の先端部４０Ａを、工具挿入ガイド部２１に沿わせて操作部１８の工具引掛け部１７に挿入し、次に、図９及び図１０に示すように工具４０を押込むと、操作レバー部材１５が、その枢軸１９を支点にして反時計回り方向に回動して押圧部２０を持ち上げ、梃子の原理で、押圧部２０がリレー３０の底面部３０Ａを押し上げる。したがって、リレー３０が持ち上がり、リレー３０の接続端子３１が接続端子１３より抜けてリレー３０がリレー接続用ソケット５から外される。
【００６１】
この場合、上記したように操作レバー部材１５における、枢支点Ｐ２から操作点Ｐ１までの距離Ｌ１と、枢支点Ｐ２から押圧作用点Ｐ３までの距離Ｌ２とが略等しくし、押圧作用点Ｐ３がリレー３０のセンターＳよりずれた位置にあるために、操作レバー部材１５に及ぼす工具４０による押力にほぼ等しい押圧力を作用力としてリレー３０に作用させ、この作用力によるモーメントをリレー３０に発生させて、リレー３０の取外しを容易にさせる。
【００６２】
上記した本発明の実施の形態によれば、リレー３０をリレー装着部５に装着した状態から、このリレー３０を取り外す場合には、操作部挿入部２２の開口部２５に臨ませた操作部１８の工具引掛け部１７に工具４０の先端部４０Ａを押し当てて、この工具４０を押込む。この従来操作レバー部材１５が、その枢軸１９を中心にして回動して押圧部２０を持ち上げ、梃子の原理で、押圧部２０でリレー３０を、その取外し方向に押圧する。したがって、リレー３０が持ち上がりリレー装着部５から外される。
【００６３】
このように、ドライバーのような汎用な工具４０を用いてリレー３０の取外しが可能になり、小型化が要求される機器に搭載される小型のリレー３０の交換が容易に行えるようになる。
【００６４】
また、操作部１８には工具引掛け部１７を形成してあり、操作部挿入部２２はソケット本体５Ａの周面部に開口していて、この開口部２５の周部に、工具引掛け部１７に工具４０を案内する工具挿入ガイド部２１が形成してある。このために、リレー３０を取り外す場合には、工具４０の先端部４０Ａを工具引掛け部１７に差し込む際に、工具挿入ガイド部２１に沿って工具４０の先端部４０Ａを移動させればよく、工具４０の先端部４０Ａを確実に工具引掛け部１７に差し込むことができて、操作レバー部材１５の操作を容易に行うことができる。
【００６５】
また、工具４０がドライバーのような汎用工具であるために、専用の脱着工具が必要ではなくなり、いかなる場所に置いてもリレー３０の取外し操作を行うことができる。
【００６６】
また、上記したように操作レバー部材１５に及ぼす工具４０による押力にほぼ等しい押圧力を作用力としてリレー３０に作用させ、この作用力によるモーメントをリレー３０に発生させているために、このリレー３０の取外しを容易に行うことができる。
【００６７】
また、枢軸挿入部２３は、操作レバー収容部１６の両壁部に形成された縦溝からなる案内部２６とこの案内部２６に連なる枢軸支承部２７とで構成されている。この枢軸支承部２７は、案内部２６に落とし込まれた枢軸１９を受ける枢軸受け部２８と、枢軸受け部２８に対して対角に位置していて枢軸１９の回転を許容する回転用スペース部２９とにより構成してある。このために、操作レバー部材１５の操作部１８を操作部挿入部２２に挿入すると共に、枢軸１９を案内部２６に挿入し、枢軸１９を枢軸挿入部２３の枢軸受け部２８に落とし込み、枢軸１９を枢軸支承部２７に入れ込む。そして、操作レバー部材１５を枢軸１９を支点にして回転させることで、枢軸１９を回転用スペース部２９内に入れ込み、操作レバー部材１５を操作レバー収容部１６に収容する。この場合、操作レバー部材１５の操作部１８は操作部挿入部２２に、押圧部２０は押圧部挿入部２４にそれぞれ挿入されて操作レバー部材１５は水平状態で完全に操作レバー収容部１６に収容される。このように操作レバー部材１５のリレー接続用ソケット５への組立を容易に行うことができる。
【００６８】
【発明の効果】
以上説明したように、本発明に係る制御機器接続用ソケットにおける制御機器取外し構造によれば、制御機器を制御機器装着部に装着した状態から、この制御機器を取り外す場合には、工具の先端部を操作点に押し当てこの工具を押込むと、操作レバー部材が、その枢支点を中心にして回動して押圧作用点を持ち上げ、梃子の原理で、押圧作用点で制御機器を、その取外し方向に押圧する。したがって、制御機器が持ち上がり制御機器装着部から外される。
【００６９】
このように、工具を用いて制御機器の取外しが可能になり、小型化が要求される機器に搭載される小型の制御機器の交換が容易に行えるようになる。
【図面の簡単な説明】
【図１】本発明に係る制御機器取外し構造（リレー取外し構造）を有する制御機器接続用ソケット（リレー接続用ソケット）をユニット本体に組み込んだ制御ユニットを正面から見た斜視図である。
【図２】同制御ユニットを背面から見た斜視図である。
【図３】本発明に係る制御機器取外し構造（リレー取外し構造）を有する制御機器接続用ソケット（リレー接続用ソケット）の斜視図である。
【図４】同制御機器接続用ソケット（リレー接続用ソケット）の分解状態の斜視図である。
【図５】（１）〜（６）は、操作レバー部材を制御機器接続用ソケット（リレー接続用ソケット）の操作レバー収容部に収容する順序を示す工程説明図である。
【図６】制御機器（リレー）の取外し操作としてドライバーのような工具を操作レバー部材の操作部の工具引掛け部に挿入した状態を示す正面図である。
【図７】図６のＡ−Ａ線に沿う断面図である。
【図８】図７のＢ−Ｂ線に沿う断面図である。
【図９】制御機器（リレー）の取外し操作としてドライバーのような工具を押込み操作レバー部材を回動させた状態を示す正面図である。
【図１０】図９のＣ−Ｃ線に沿う断面図である。
【図１１】図１０のＤ−Ｄ線に沿う断面図である。
【図１２】（１）は従来におけるリレー接続用ソケットにリレーを装着する場合を示す説明図である。
（２）は同リレー接続用ソケットにリレーを装着した状態を示す説明図である。
【図１３】（１）は従来の他のリレー接続用ソケットにリレーを装着した状態を示す説明図である。
（２）は同リレー接続用ソケットからリレーを取り出す状態を示す説明図である。
【図１４】（１）は従来の別の他のリレー接続用ソケットにリレーを装着した状態を示す説明図である。
（２）は同リレー接続用ソケットからリレーを取り出す状態を示す説明図である。
【符号の説明】
１      制御ユニット
２      ユニット本体
３      端子台
４      ソケット装着部
５      リレー接続用ソケット（制御機器接続用ソケット）
５Ａ    ソケット本体
１０    リレー装着部（制御機器装着部）
１４    リレー取外し機構部
１５    操作レバー部材
１６    操作レバー収容部
１７    工具引掛け部
１８    操作部
１９    枢軸
２１    工具挿入ガイド部
２２    操作部挿入部
２３    枢軸挿入部
２４    押圧部挿入部
２５    開口部
２６    案内部
２７    枢軸支承部
２８    枢軸受け部
２９    回転用スペース部
３０    リレー
３０Ａ  底面部
４０    工具（汎用工具）
４０Ａ  先端部
Ｐ１    操作点
Ｐ２    枢支点
Ｐ３    押圧作用点
Ｓ      センター
【図１】
2004281167.tif 000003
【図２】
2004281167.tif 000004
【図３】
2004281167.tif 000005
【図４】
2004281167.tif 000006
【図５】
2004281167.tif 000007
【図６】
2004281167.tif 000008
【図７】
2004281167.tif 000009
【図８】
2004281167.tif 000010
【図９】
2004281167.tif 000011
【図１０】
2004281167.tif 000012
【図１１】
2004281167.tif 000013
【図１２】
2004281167.tif 000014
【図１３】
2004281167.tif 000015
【図１４】
2004281167.tif 000016